(57)【要約】【課題】イベント用の代金を主催者が全額前払いしなくてよいようにすることで主催者の経済的負担を減らし、また、参加者を特定することができない場合であってもイベント情報を通知しイベント代金を集めることができる、イベントキャッシュレス装置、イベントキャッシュレスシステム、イベントキャッシュレス方法、およびイベントキャッシュレスプログラムを提供することを目的とする。【解決手段】イベント発信部１３と、イベント決済日以前にイベント用代金を振込口座に入金するイベント入金処理部１４と、不特定者入金処理部１５とを備えるイベントキャッシュレス装置１０によりイベント参加者からの入金を用いてイベント代金を支払うことができると共に参加者が特定されない場合でもイベント代金を集めることができる。【選択図】図２
2018092216.tif 000002
【特許請求の範囲】
【請求項１】
イベント参加者の個人情報が記憶された参加者記憶手段に基づき、イベント用代金の支払手続方法を前記イベント参加者に通知するイベント案件発信部と、
イベント決済日以前に、前記イベント参加者からの入力により作成された前記イベント用代金の支払データに基づき、前記イベント用代金を振込口座に入金するイベント入金処理部と、
イベント参加を希望する前記イベント参加者の個人情報が前記参加者記憶手段に記憶されていない場合に、イベントの参加の可否について判断する不特定者入金処理部と、
を備えることを特徴とするイベントキャッシュレス装置。
【請求項２】
前記イベント入金処理部は、
前記イベント用代金の前記支払データの支払日がイベント決済日以前の場合において、
入金記憶手段を用いて、前記イベント参加者の前記イベント用代金の入金確認を行い、イベント主催者に、前記イベント用代金の差額決済の依頼を行う、
ことを特徴とする請求項１に記載のイベントキャッシュレス装置。
【請求項３】
前記不特定者入金処理部は、
前記イベントの前記参加の可否について可である場合に、前記イベント参加を希望する前記イベント参加者に振込口座番号を通知する、
ことを特徴とする請求項１に記載のイベントキャッシュレス装置。
【請求項４】
端末と、前記端末にネットワークを介して接続されるイベントキャッシュレス装置とを備えたイベントキャッシュレスシステムであって、
前記イベントキャッシュレス装置は、
イベント参加者の個人情報が記憶された参加者記憶手段に基づき、イベント用代金の支払手続方法を前記イベント参加者に通知するイベント案件発信部と、
イベント決済日以前に、前記イベント参加者からの前記イベント用代金の支払データに基づき、前記イベント用代金を振込口座に入金するイベント入金処理部と、
イベント参加を希望する前記イベント参加者の個人情報が前記参加者記憶手段に記憶されていない場合に、イベントの参加の可否について判断する不特定者入金処理部と、
を備えることを特徴とするイベントキャッシュレスシステム。
【請求項５】
端末と、前記端末にネットワークを介して接続されるイベントキャッシュレス装置におけるイベントキャッシュレス方法であって、
イベント参加者の個人情報が記憶された参加者記憶手段に基づき、イベント用代金の支払手続方法を前記イベント参加者に通知するステップと、
イベント決済日以前に、前記イベント参加者からの前記イベント用代金の支払データに基づき、前記イベント用代金を振込口座に入金するステップと、
イベント参加を希望する前記イベント参加者の個人情報が前記参加者記憶手段に記憶されていない場合に、イベントの参加の可否について判断するステップと、
を備えることを特徴とするイベントキャッシュレス方法。
【請求項６】
ネットワークを介して、端末と接続されるイベントキャッシュレス装置のコンピュータに、
イベント参加者の個人情報が記憶された参加者記憶手段に基づき、イベント用代金の支払手続方法を前記イベント参加者に通知するステップと、
イベント決済日以前に、前記イベント参加者からの前記イベント用代金の支払データに基づき、前記イベント用代金を振込口座に入金するステップと、
イベント参加を希望する前記イベント参加者の個人情報が前記参加者記憶手段に記憶されていない場合に、イベントの参加の可否について判断するステップと、を実行させる、
ことを特徴とするイベントキャッシュレスプログラム。
【発明の詳細な説明】
【技術分野】
【０００１】
本発明は、イベント用の代金を主催者が全額前払いすることなく支払うことのできる、イベントキャッシュレス装置、イベントキャッシュレスシステム、イベントキャッシュレス方法、イベントキャッシュレスプログラムおよびイベントキャッシュレスプログラムが記憶されたコンピュータで読み取り可能な記憶媒体に関するものである。
【背景技術】
【０００２】
例えば、結婚式、結婚披露宴のイベントにおいては、予算見積もり、ゲストへの案内、ゲストからの出欠の回答集計、引き出物の選定、当日の祝儀の受取・集計まで、非常に多くのタスクが発生する。例えば祝儀については、通常、受付の者が、結婚式当日に祝儀を参加者から１つずつ手渡しで受け、のし袋を開けて金額を集計することとなる。すると、参加者の人数が多い場合は祝儀を支払った者の特定などが大きな手間となる。また、参加者も祝儀のために、銀行の営業時間内に店頭へ行く、ＡＴＭで新券が出るまで引出を行う場合があるなど、祝儀を渡すまでに時間を取られることがある。
【０００３】
ここで、結婚式などの冠婚葬祭において、ご祝儀や香典を手渡しの他に、銀行振り込みやクレジットカード払いで行うシステムが存在する。
【０００４】
例えば、以下の特許文献１においては、「ご祝儀お届けサービス申し込み画面」において、参加者が祝儀を「銀行振り込み」、または「クレジットカード」で振り込むことができる冠婚葬祭支援システムが開示されている。
【０００５】
また、１つの口座に対して大勢の振込を行う支払人が存在する場合に、振込による支払人の特定を確実に行うシステムが存在する。
【０００６】
例えば、以下の特許文献２においては、銀行が振込口座を有する企業などに振込専用口座番号を割り当て、企業が各振込専用口座番号を振込人ごとに通知し、振込人が振込専用口座にそれぞれ振込を行うことで、振込人の特定ができる振込処理システムが開示されている。
【先行技術文献】
【特許文献】
【０００７】
【特許文献１】特開２０１２−１１８６６３号公報
【特許文献２】特許第３０２９４２１号公報
【発明の概要】
【発明が解決しようとする課題】
【０００８】
しかし、特許文献１に記載の冠婚葬祭支援システムにおいては、参加者から振り込まれた祝儀は、主催者である新郎または新婦の口座に直接振り込まれるか、あるいは銀行の別段預金を通して主催者の口座に振り込まれる旨が開示されているにすぎない。この場合、主催者は、結婚式場費用や引き出物といった多額のイベント用の代金を、結婚式場などにあらかじめ全額前払いしておく必要があり、主催者の大きな経済的負担となってしまう場合がある。
【０００９】
また、特許文献１に記載の冠婚葬祭支援システムにおいては、参加者が特定できないような大規模パーティの場合に、複数の代表者が主催者に代わりイベント情報を入力してイベントの参加者を決定することが開示されているが、これは、複数の代表者や主催者のうちいずれかが、イベントに参加する参加者を知らなければイベント情報を通知できず、香典などのイベント用代金が受領できないことを表す。したがって、例えば募金など、どんな参加者がいるかについてイベント主催者側が全く把握できないことがある場合については、イベントの通知ができず、募金も集めることができないことになる。
【００１０】
また、特許文献２に記載の振込処理システムにおいては、いわゆる冠婚葬祭などにおける祝儀や香典などのイベント用代金についてイベント参加者から集金を行って、当該集金したイベント用代金を用いて結婚式場や葬儀場などのイベントの運営者に支払を行うといった、イベント用代金の支払については開示されていない。
【００１１】
本発明は上記実情に鑑みて提案されたもので、イベント用代金をイベント主催者が全額前払いすることなく、イベント参加者からの入金を用いて支払うことが出来ることでイベント主催者の経済的負担を減らし、かつ参加者を特定することができない場合であってもイベント情報を通知し、イベント代金を集めることができる、イベントキャッシュレス装置、イベントキャッシュレスシステム、イベントキャッシュレス方法、イベントキャッシュレスプログラムおよびイベントキャッシュレスプログラムが記憶されたコンピュータで読み取り可能な記憶媒体を提供することを目的とする。
【課題を解決するための手段】
【００１２】
上記目的を達成するために、本発明に係るイベントキャッシュレス装置は、イベント参加者の個人情報が記憶された参加者記憶手段に基づき、イベント用代金の支払手続方法をイベント参加者に通知するイベント案件発信部と、イベント決済日以前に、イベント参加者からの入力により作成されたイベント用代金の支払データに基づき、イベント用代金を振込口座に入金するイベント入金処理部と、イベント参加を希望するイベント参加者の個人情報が参加者記憶手段に記憶されていない場合に、前記イベントの参加の可否について判断する不特定者入金処理部とを備えることを特徴とする。
【００１３】
また、本発明に関わるイベントキャッシュレス装置は、イベント入金処理部は、イベント用代金の支払データの支払日がイベント決済日以前の場合において、入金記憶手段を用いて、イベント参加者のイベント用代金の入金確認を行い、イベント主催者に、イベント用代金の差額決済の依頼を行うことを特徴とする。
【００１４】
また、本発明に関わるイベントキャッシュレス装置は、不特定者入金処理部は、イベントの参加の可否について可である場合に、イベント参加を希望するイベント参加者に振込口座番号を通知することを特徴とする。
【００１５】
また、本発明に関わるイベントキャッシュレスシステムは、端末と、端末にネットワークを介して接続されるイベントキャッシュレス装置とを備えたイベントキャッシュレスシステムであって、イベントキャッシュレス装置は、イベント参加者の個人情報が記憶された参加者記憶手段に基づき、イベント用代金の支払手続方法をイベント参加者に通知するイベント案件発信部と、イベント決済日以前に、イベント参加者からのイベント用代金の支払データに基づき、イベント用代金を振込口座に入金するイベント入金処理部と、イベント参加を希望するイベント参加者の個人情報が参加者記憶手段に記憶されていない場合に、イベントの参加の可否について判断する不特定者入金処理部とを備えることを特徴とする。
【００１６】
また、本発明に関わるイベントキャッシュレス方法は、端末と、端末にネットワークを介して接続されるイベントキャッシュレス装置におけるイベントキャッシュレス方法であって、イベント参加者の個人情報が記憶された参加者記憶手段に基づき、イベント用代金の支払手続方法をイベント参加者に通知するステップと、イベント決済日以前に、イベント参加者からのイベント用代金の支払データに基づき、イベント用代金を振込口座に入金するステップと、イベント参加を希望するイベント参加者の個人情報が参加者記憶手段に記憶されていない場合にイベントの参加の可否について判断するステップとを備えることを特徴とする。
【００１７】
また、本発明に関わるイベントキャッシュレスプログラムは、ネットワークを介して、端末と接続されるイベントキャッシュレス装置のコンピュータに、イベント参加者の個人情報が記憶された参加者記憶手段に基づき、イベント用代金の支払手続方法をイベント参加者に通知するステップと、イベント決済日以前に、イベント参加者からのイベント用代金の前記支払データに基づき、イベント用代金を振込口座に入金するステップと、イベント参加を希望する前記イベント参加者の個人情報が参加者記憶手段に記憶されていない場合に、イベントの参加の可否について判断するステップとを実行させることを特徴とする。
【発明の効果】
【００１８】
本発明によれば、イベント用代金をイベント主催者が全額前払いすることなく、イベント参加者からの入金を用いて支払うことが出来ることでイベント主催者の経済的負担を減らし、かつ、イベント参加者を特定することができない場合であってもイベント情報を通知し、イベント代金を集めることができることで、イベント参加者と資金をより多く集めることができる。
【図面の簡単な説明】
【００１９】
【図１】本発明の実施形態に係るイベントキャッシュレス装置及びイベントキャッシュレスシステムの構成図である。
【図２】本発明の実施形態に係るイベントキャッシュレス装置の構成を示すブロック図である。
【図３】本発明の実施形態に係るイベントキャッシュレス装置の制御部のイベント発信部を説明するためのフローチャートである。
【図４】本発明の実施形態に係るイベントキャッシュレス装置の制御部のイベント入金処理部を説明するためのフローチャートである。
【図５】本発明の実施形態に係るイベントキャッシュレス装置の制御部の不特定者入金処理部を説明するためのフローチャートである。
【図６】本発明の実施形態に係るイベントキャッシュレス装置の制御部のイベント返金処理部を説明するためのフローチャートである。
【発明を実施するための形態】
【００２０】
以下、本発明に係る実施形態を図面とともに説明する。
【００２１】
まず、図１を参照して、本発明に係る実施形態における、イベントキャッシュレス装置１０とイベントキャッシュレスシステム１について説明する。イベントキャッシュレスシステム１は、イベント参加者用のユーザ端末３０ａと、イベント主催者用のユーザ端末３０ｂと、運営者端末３０ｃと、及び金融機関端末３０ｄとを有する。なお、以下において、各端末３０ａ、３０ｂ、３０ｃ、３０ｄを特に区別して記載する必要がない場合には、端末３０と記載する。
【００２２】
イベント参加者用のユーザ端末３０ａは、サービス事業者が運営するポータルサイトのユーザであるイベント参加者が用いる端末であり、イベント主催者用のユーザ端末３０ｂは、同じユーザであるイベント主催者が用いる端末である。ここでイベントとは、冠婚葬祭や、飲み会、政治献金、旅行、募金、ふるさと納税、クラウドファンディングなど、支払いを伴うあらゆる催し物を表す。
【００２３】
運営者端末３０ｃは、サービス事業者のポータルサイトの運営者が用いる端末である。ここでサービス事業者のポータルサイトとは、例えば、ブライダルサービス事業者が運営する、結婚式情報の記載されたポータルサイトなどが挙げられる。結婚式情報の記載されたポータルサイトのユーザ（新郎新婦・親族など）は、イベントである結婚式の主催者として、当該ポータルサイトを用いて結婚式場の下見の予約などができる。また、金融機関端末３０ｄは、銀行などの金融機関で用いられる端末であり、入金業務など通常の銀行業務を行うことができる端末である。
【００２４】
ここで、端末３０は、キーボードやタッチパネルなどのヒューマンインターフェースを持つものであり、具体的には、スマートフォン、タブレット型またはノート型のパーソナル・コンピュータ、またはＰＤＡ（Ｐｅｒｓｏｎａｌ  Ｄｉｇｉｔａｌ  Ａｓｓｉｓｔａｎｔ）のようなモバイル型の情報処理端末や、デスクトップ型のパーソナル・コンピュータなどがあげられる。
【００２５】
端末３０は、ネットワーク２０を介してイベントキャッシュレス装置１０と接続されている。端末３０は、無線通信や有線によりネットワーク２０に接続される。ここでネットワーク２０は、インターネットであっても、ＬＡＮ（Ｌｏｃａｌ Ａｒｅａ Ｎｅｔｗｏｒｋ）やＷＡＮ（ＷｉｄｅＡｒｅａ Ｎｅｔｗｏｒｋ）であってもよい。
【００２６】
図２を用いて、実施形態における、本発明に係るイベントキャッシュレス装置１０の構成について説明する。ここでは、図３乃至図５のフローチャートを参照して説明する。図２に示すように、イベントキャッシュレス装置１０は、送受信部１１と、制御部１２と、記憶部１９とを備えており、記憶部１９には、入金データベース１７と、参加者データベース１８とを備えている。
【００２７】
まず、イベントキャッシュレス装置１０における記憶部１９の有するデータベースについて説明する。
【００２８】
入金データベース１７は、金融機関コードと、金融機関名と、入金元口座と、入金先口座と、入金金額と、入金日などとが、入金データごとに割り振られた入金データＩＤに対応付けられて格納されており、端末３０からアクセスすることでそれぞれ入金状況を確認することができる。
【００２９】
参加者データベース１８は、後述する、イベント主催者による参加者リストをもとに作成されている。参加者データベース１８には、イベント参加者の氏名と、性別と、住所と、電話番号と、メールアドレスと、職業などとが、イベント参加者ごとに割り振られた参加者ＩＤに対応付けられて格納されている。
【００３０】
次に、送受信部１１は、ネットワーク２０を介してイベントの案内や出欠可否などの情報を、端末３０と送受信する。記憶部１９は、端末３０から受信した情報や、入金データベース１７、参加者データベース１８などの情報を記憶する。制御部１２は、記憶部１９に対する情報の出力や受け取りなどを制御する。
【００３１】
ここで、イベントキャッシュレス装置１０の制御部１２の詳細な構成について説明する。
【００３２】
制御部１２は、イベント発信部１３と、イベント入金処理部１４と、不特定者入金処理部１５と、イベント返金処理部１６とから構成される。
【００３３】
制御部１２のイベント発信部１３の処理を、図３を参照しながら以下に記載する。まず、例えば、イベントである結婚式のイベント主催者であるユーザは、ユーザ端末３０ｂから、ブライダルサービス事業者の運営するポータルサイトを利用して結婚式を行いたい旨の利用申込を送信する（ステップＳ３０１）。
【００３４】
利用申込送信をされたポータルサイトの運営者は、運営者端末３０ｃを介して、イベントに参加する予定のイベント参加者について、イベント主催者に参加者リストの作成依頼を送信する（ステップＳ３０２）。ポータルサイトの運営者は、この参加者リストに基づいて作成された参加者データベース１８を用いて、イベント情報の発送などを行う。
【００３５】
ここで、参加者リストの作成依頼を送信されたイベント主催者は、イベントに招くイベント参加者について参加者リストを作成し、ユーザ端末３０ｂから運営者に送信する（ステップＳ３０３）。
【００３６】
参加者リストが送信されたポータルサイトの運営者は、イベント用代金の振込に用いる金融機関の振込口座の利用申込を、運営者端末３０ｃから金融機関に送信する（ステップＳ３０４）。
【００３７】
振込口座の利用申込が送信された金融機関は、被振込専用の口座である仮想口座の採番をイベント参加者の人数分について金融機関端末３０ｄより行い、ポータルサイトの運営者に仮想口座の口座番号を通知する（ステップＳ３０５）。ここで、特許文献２に開示されているように、仮想口座の口座番号と、例えばポータルサイトの運営者の振込口座番号といった実際の振込口座番号とは関連づけられており、金融機関端末３０ｄは、仮想口座に宛てられた振込を実際の振込口座に振り替えることができる。なお、ポータルサイトの運営者によって通知された仮想口座の口座番号は、イベント参加者のそれぞれに関連付けられて参加者データベース１８に記憶されてもよい。また、ここで実際の振込口座は、ポータルサイトの運営者の振込口座だけでなく、イベント主催者の振込口座であってもよい。なお、金融機関は、仮想口座の割り当てについて、イベントの性質などによっては、上記したイベント参加者の人数分などに限定せず自由に行うことができる。また、金融機関は、イベントの参加人数などによっては、必ずしも仮想口座を割り当てる必要はない。
【００３８】
例えば金融機関は、上記ステップＳ３０５において、イベント参加者の人数を募金などイベントの性質上正確に把握できない場合は、開催するイベントごとに仮想口座を割り振ってもよい。例えば、募金という１つのイベントに対して１００００口座を割り振るといった方式でもよい。
【００３９】
また、例えば金融機関は、上記ステップＳ３０５において、イベントの参加者が少ない場合などは、ポータルサイトの運営者に仮想口座を割り振らず、直接ポータルサイトの運営者、あるいはイベント主催者などの振込口座に振り込むようにしてもよい。
【００４０】
仮想口座番号が通知されたポータルサイトの運営者は、イベント費用の概算見積、及び支払プランをイベント主催者に案内する（ステップＳ３０６）。ここで、支払プランには、イベント参加者から集めたイベント代金によって、イベント主催者が全額前払いすることなく、イベント費用をポータルサイトの運営者に支払うことができる旨が記載されている。なお、支払プランは、通常のように、イベント主催者がイベント費用の前払いにより立替払いを行って、後で祝儀などにより前払い分を回収することもできる。
【００４１】
イベント費用の概算見積、及び支払プランを案内されたイベント主催者は、概算見積や支払プランを受け入れる場合は、ポータルサイトの運営者に仮予約を行う旨、及びイベント参加者に案内状を送付する旨の指示を送付する（ステップＳ３０７）
【００４２】
仮予約及び案内状を送付する旨の指示を送信されたポータルサイトの運営者は、参加者データベース１８に基づき、イベント参加者に案内状を送付する（ステップＳ３０８）。案内状には、ポータルサイトのＵＲＬを記載したり、ＱＲコード（登録商標）などの二次元コードを記載して、案内状を受領したイベント参加者が、参加情報を登録するためのポータルサイトの入力フォームにアクセスできるようにする（ステップＳ３０９）。
【００４３】
上記した参加情報を登録するための入力フォームには、イベント参加者の「参加の可否」、「住所」、イベント代金の「支払手続」などについて記載する項目が設けられている。さらに、ステップＳ３０５で取得した、各イベント参加者に割り当てられた振込用の仮想口座番号も入力フォームに記載されている。「支払手続」では、イベント代金を銀行振込する手続、クレジットカードで支払う手続、祝儀のように当日現金をイベント会場の受付まで持参する手続などが選択できる。なお、案内状は、メールやＳＮＳなど電子媒体で発信しても、書面で送付してもどちらでもよい。
【００４４】
また、ポータルサイトの運営者は、入力フォームに、祝電などを送るための「慶弔電報サービス」や、イベント主催者に贈り物を贈るための「ギフトサービス」、イベント主催者にメッセージを送るための「メッセージサービス」、引出物をイベント参加者に郵送するための「引出物郵送サービス」などの案内を加えてもよい。
【００４５】
次に、制御部１２のイベント入金処理部１４の処理を、図４を参照しながら以下に記載する。まず、イベント発信部１３のステップＳ３０９で、ポータルサイトの運営者から案内状を受領したイベント参加者は、入力フォームから、イベントへの出席ができるか否かについての「参加可否」の項目や、「住所」、「支払手続」などの参加情報の項目について登録し、ユーザ端末３０ａからポータルサイトの運営者の運営者端末３０ｃへ送信する（ステップＳ４０１）。イベント参加者は、入力フォーム上から、イベント発信部１３のステップＳ３０９で記載した、「慶弔電報サービス」や、「ギフトサービス」や、「メッセージサービス」や、「引出物郵送サービス」などの申込を利用することもできる。
【００４６】
ステップＳ４０１で参加情報を送信されたポータルサイトの運営者は、イベント参加者の参加情報を受け付けて登録する（ステップＳ４０２）。ここで、イベント参加者が、ステップＳ４０１の「支払手続」の手続を行うことにより発生した、イベント用代金の支払データに基づき、すでに祝儀などの支払いがクレジットカードなどで行われた場合、仮想口座にイベント代金、すなわち祝儀などの振込みが行われ、ポータルサイトの運営者、あるいはイベント主催者などの振込口座に即時振替が行われる（ステップＳ４０３）。イベント用代金の支払データには、イベント参加者が支払を行った日である支払日がシステム上、付与される。なお、イベント発信部１３のステップＳ３０５において、ポータルサイトの運営者に仮想口座を割り振らず、直接ポータルサイトの運営者、あるいはイベント主催者などの振込口座に振り込むようにした場合は、当該振込口座にイベント代金が振り込まれる。
【００４７】
ポータルサイトの運営者は、運営者端末３０ｃからイベント主催者のユーザ端末３０ｂに、イベント参加者の車代や、イベント参加者に渡す引出物といった、付帯サービスの利用状況の有無を確認する通知を送信する（ステップＳ４０４）。この付帯サービスの利用の有無を確認する通知には、例えばイベント参加者に渡す引出物のカタログの一覧など、付帯サービスに関する情報が含まれる。イベント主催者は、付帯サービスの利用を確認した後に、ユーザ端末３０ｂから、運営者端末３０ｃに付帯サービスの利用状況の有無について送信する。
【００４８】
付帯サービスの利用状況が送信されたポータルサイトの運営者は、例えば、式場代などに、ステップＳ４０４で述べた付帯サービスの代金を加えたイベント用代金の詳細な見積を作成して、運営者端末３０ｃからイベント主催者のユーザ端末３０ｂに送信する（ステップＳ４０５）。
【００４９】
イベント用代金の詳細な見積データを送信されたイベント主催者は、ステップＳ４０３においてすでに振込がされている振込口座を用いてイベント用代金の支払いを行いたい場合は、イベント用代金支払依頼データを、ユーザ端末３０ｂから運営者端末３０ｃに送信する（ステップＳ４０６）。
【００５０】
イベント用代金支払依頼データを受信したポータルサイトの運営者は、運営者端末３０ｃを用いて、イベント参加者によるイベント用代金の支払データの支払日が、イベント用代金の決済日以前か否か、例えば、イベント用代金を支払った日がイベント用代金の決済日である結婚式の前日以前か否かを判断する（ステップＳ４０７）。
【００５１】
イベント参加者によるイベント用代金の支払データの支払日が、イベント用代金の決済日以前である場合、ポータルサイトの運営者は、運営者端末３０ｃを用いて金融機関に入金確認依頼情報を送信することにより金融機関の入金データベース１７を確認する。さらにポータルサイトの運営者は、ステップＳ４０３でイベント参加者より振込口座に振り込まれた総額を、入金データベース１７を用いて計算する（ステップＳ４０８）。
【００５２】
そして、ポータルサイトの運営者は、イベント用代金の総額から、ステップＳ４０８で計算された振込口座に振り込まれた総額を減じることによって、イベント主催者が支払う差額決済分を算出する。さらにポータルサイトの運営者は、差額決済分が記載された差額決済依頼データについて、運営者端末３０ｃから、イベント主催者のユーザ端末３０ｂに送信し、イベント主催者は差額決済依頼データについて受領する（ステップＳ４０９）。また、ステップＳ４０７で、イベント用代金の支払データの支払日が、イベント用代金の決済日以前でない場合、すなわち決済日より後の場合も同様に差額決済の処理を行う。
【００５３】
ステップＳ４０９で差額決済依頼データを受領したイベント主催者は、ポータルサイトの運営者に差額決済の依頼を行い、ステップＳ４０８で計算された差額決済分について支払いが行われる（ステップＳ４１０）。このイベント主催者によって支払われた差額決済分については、ステップＳ４０３で即時振替が行われたポータルサイトの運営者の振込口座に振り込まれることができる（ステップＳ４１１）。
【００５４】
また、イベントの当日にイベント参加者から受領したイベント用代金は、当日入金として、イベント主催者が、ステップＳ４０３で即時振替が行われたポータルサイトの運営者、あるいはイベント主催者などの振込口座に振り込むことができる（ステップＳ４１２）。なお、イベントの当日にイベント参加者から受領したイベント用代金とは、式場で受領したご祝儀や、葬儀場で受領した香典などが上げられる。ここでイベント主催者は、ユーザ端末３０ｂを用いて金融機関に入金確認依頼情報を送信して入金データベース１７を確認することにより、イベントの当日より前に振込口座に振り込まれた金額と、イベントの当日にイベント参加者から受領したイベント用代金の振込状況とを確認することができる。
【００５５】
次に、制御部１２の不特定者入金処理部１５の処理を、図５を参照しながら以下に記載する。まず、イベント発信部１３のステップＳ３０９で案内状を受け取っていない、すなわち参加者データベース１８に記憶されていないイベント参加者が、イベントの参加を希望した場合（ステップＳ５０１）、イベント参加希望データが、ポータルサイトの入力フォームにより、ユーザ端末３０ａからポータルサイトの運営者の運営者端末３０ｃに対して送信される。イベント参加希望データには、氏名と、性別と、住所と、電話番号などの連絡先が記載されている。
【００５６】
ここで、ステップＳ５０１で、案内状を受け取っていないにもかかわらず、イベントの参加を希望する場合について以下に説明する。例えば、募金などといった、イベントの全参加者を完全に把握することが難しい場合や、葬儀など不特定多数の者であってもよりたくさんの者にイベントに参加してもらった方が良い場合に、ポータルサイトの運営者が、自己のポータルサイトにイベント情報を掲載して不特定多数の者に知らせることにより、参加を希望する者が出る場合が挙げられる。
【００５７】
ステップＳ５０１で、ユーザ端末３０ａからイベント参加希望データが送信されたポータルサイトの運営者は、イベント参加希望データの内容に基づき、イベント参加希望のイベント参加者がイベントに参加可能か否かを判断する（ステップＳ５０２）。なお、イベントに参加可能か否かを判断する際、イベントの性質に応じ、運転免許書や保険証のコピーなど本人確認資料の提出を求めることができる。
【００５８】
ポータルサイトの運営者は、イベント参加希望のイベント参加者がイベントに参加しても良いと判断した場合、運営者端末３０ｃからユーザ端末３０ｃに、イベント参加許可の旨と、イベント発信部１３のステップＳ３０５で取得した振込用の仮想口座番号とを送信する（ステップＳ５０３）。ここで、送信された仮想口座番号は、支払人特定の観点からイベント参加者のそれぞれに対して割り当てられた固有の番号であってよい。
【００５９】
一方、ポータルサイトの運営者は、例えば住所不特定といった形式不備などの理由で、イベント参加希望のイベント参加者がイベントに参加するのが適切でないと判断した場合、運営者端末３０ｃからユーザ端末３０ａに、イベント参加不可の旨を送信する（ステップＳ５０４）。また、ポータルサイトの運営者は、イベント発信部１３のステップＳ３０９で案内状を受け取っていない、すなわち参加者データベース１８に記憶されていないイベント参加者が、イベントの参加を希望した場合は全て参加不可にし、参加者データベース１８に記憶されたイベント参加者のみから入金を受け付けるようにすることもできる。
【００６０】
次に、制御部１２のイベント返金処理部１６の処理を以下に記載する。イベント参加者が当初参加できる予定であってイベント用代金の入金をしたが、参加できなくなり、キャンセルを望む場合、ポータルサイト運営者の入力フォームから欠席の登録を行い、返金口座を入力フォーム上で指定して、ユーザ端末３０ａから運営者端末３０ｃに送信する（ステップＳ６０１）。この際、イベント発信部１３のステップＳ３０９の処理で記載したように、イベント参加者は、「慶弔電報サービス」や、「ギフトサービス」や、「メッセージサービス」などを利用することもできる。したがって、イベント参加者は、イベントには参加できなくても、イベント主催者に祝電などの電報やプレゼントやメッセージを送付することができる。
【００６１】
ポータルサイトの運営者は、運営者端末３０ｃにて欠席の登録を受け付けた後（ステップＳ６０２）に返金金額を確認して、金融機関に返金を依頼する（ステップＳ６０３）。返金の依頼を受けた金融機関では、返金金額について逆の振込、すなわち振込元口座と振込先口座を逆にした振込を実施して返金処理を行う。クレジットカードでの振込の場合は、マイナスの売上を計上して返金処理を行う（ステップＳ６０４）。
【００６２】
金融機関での返金処理が完了した後、ポータルサイトの運営者は、返金希望のイベント参加者の返金口座に入金し、返金した旨を運営者端末３０ｃからユーザ端末３０ａに送信する。（ステップＳ６０５）。返金を受けたイベント参加者は返金内容を確認する（ステップＳ６０６）。
【００６３】
ポータルサイトの運営者は、ステップＳ６０５で返金した後に、イベント入金処理部１４のステップＳ４０５で記載した、イベント主催者に送信する詳細見積に当該返金分を反映させる（ステップＳ６０７）。
【００６４】
以上のとおり、本実施形態に係るイベントキャッシュレス装置１０が構成されている。次に、イベントキャッシュレス装置１０の効果を説明する。
【００６５】
本実施形態によれば、イベント用代金の支払データの支払日がイベント決済日以前の場合において、イベント入金処理部１４が入金データベース１７を用いて、イベント参加者のイベント用代金の入金確認を行い、イベント主催者にイベント用代金の差額決済の依頼を行うことができるため、差額決済分をイベント主催者などが計算することなく即座に算定することができ、イベント当日に祝儀を全て計算して差額を計算するなどといったイベント主催者側の手間を省くことができる。
【００６６】
本実施形態によれば、不特定者入金処理部は、イベントの参加の可否について可である場合に、イベント参加を希望するイベント参加者に振込口座番号である仮想口座番号を通知するため、身元不明の者からはイベント用代金の入金を受け付けないなど、入金に透明性を持たせることができる。
【００６７】
以上、本発明に係る実施形態について説明したが、本発明はかかる実施形態に限定されるものではなく、その要旨を逸脱しない範囲で種々なる態様で実施し得ることは言うまでもない。例えば、イベントキャッシュレス装置１０の役割は、上述の例に限定されない。
【符号の説明】
【００６８】
１      イベントキャッシュレスシステム
１０    イベントキャッシュレス装置
１１    送受信部
１２    制御部
１３    イベント発信部
１４    イベント入金処理部
１５    不特定者入金処理部
１６    イベント返金処理部
１７    入金データベース
１８    参加者データベース
１９    記憶部
２０    ネットワーク
３０ａ  ユーザ端末（参加者）
３０ｂ  ユーザ端末（主催者）
３０ｃ  運営者端末
３０ｄ  金融機関端末
【図１】
2018092216.tif 000003
【図２】
2018092216.tif 000004
【図３】
2018092216.tif 000005
【図４】
2018092216.tif 000006
【図５】
2018092216.tif 000007
【図６】
2018092216.tif 000008